(57)【要約】      （修正有）【課題】正座した時の足のシビレと痛みを和らげ、安全に長時間正座する為の座椅子を提供する。【解決手段】一枚の座部と、一枚の台部と、座部及び台部をつなぐ２枚の板よりなる支柱部分から構成される。支柱部分の板の一枚が座部に、一枚が台部にそれぞれ９０度折り曲げられるようつなげられ、座部とつなげられた板には中央部下半分に板厚分の切り欠きが有り、台部とつなげられた板には中央部上半分に板厚分の切り欠きが有る。使用時には２枚の板の切り欠きどうしを噛み合わせる事で座椅子となり、収納時には 噛み合わせを分離し、支柱を９０度折り曲げる事で容積を小さくする事が出来る。【選択図】図１
0003166755.tif 000002
【実用新案登録請求の範囲】
【請求項１】
座椅子の支柱の構造が一枚は  板の半分の高さから下まで、板の中央に板厚だけ
の切り込みがあり、他の一枚は板の半分の高さから上まで、板の中央に板厚だけ
の切り込みがある、この２枚を噛み合わせた支柱を有するもの  
【請求項２】
座椅子の支柱板の１枚と  座る部分の板とをほぼ直角に折り畳み出来るつなぎかた
をした部品と  座椅子の支柱板の他の１枚と  床に接する板とをほぼ直角に折り
畳み出来るつなぎかたを下部品を  支柱部で組み合わせる座椅子。
【考案の詳細な説明】
【技術分野】
【０００１】
この考案は、葬儀などで 長時間正座するときに用いられる座椅子に関する
【背景技術】
【０００２】
従来の座椅子としては、座部裏面に連結した脚部を左右又は前後に開角して、
使用者の臀部を座部に置き、両足首を脚部の両側に沿った状態に折り曲げて
使用する座椅子がある。  又  最近３角形で  持ち運び便利な折り畳み式がある.
【先行技術文献】
【特許文献】
【０００３】
【特許文献１】特許出願２００４−８２３６９
【０００４】
【特許文献２】特許公開平８−２５６８７７
【０００５】
【特許文献３】実用新案出願平１１−６３２１
【０００６】
出願番号: 実用新案出願平１１−６３２１ 出願日 : １９９９年８月２０日 
登録番号 : 登録実用新案第３０６６７５２号 登録日 :１９９９年１２月８日
実用新案権者 : 阪東 千恵子 考案者 : 阪東 千恵子
考案の名称 : 携帯座椅子 
【考案の概要】
【考案が解決しようとする課題】
【０００７】
長時間正座をすると足のシビレが起こり痛みや無感覚となり。正座後動けない。
技術分野で紹介した座椅子が有るが、持ち運び、安定性に難が有る。
【課題を解決するための手段】
【０００８】
２枚板を組み合わせた（組木の技術）支柱を作り、その支柱を構成する２枚の板を、
座る部分となる板，床に接する板に、それぞれ直角に折れ曲がるよう接続する。
支柱部が組み合わされた状態は座椅子。分解され折り畳まれた状態は２組の
２枚の板となる。
【考案の効果】
【０００９】
支柱の大きさは  人の正座時の左右のくるぶしの隙間の大きさより、小さくする
ことで座椅子と接触する邪魔と感ずる感覚がなくなる。
【００１０】
支柱をほぼ直角に組むことで、大きな丸太の支柱を使用したと同じ安定感が
得られる。
【００１１】
木 等の材料を使用することで軽くなる。
【図面の簡単な説明】
【００１２】
【図１】座部と台部が組み合わされ完成図の正面図。
【００１３】
【図２】座部と台部が組み合わされ完成図の側面図。
【００１４】
【図３】座部、上の半分の正面図。
【００１５】
【図４】座部、上の半分の側面図。
【００１６】
【図５】台部、下半分の正面図
【００１７】
【図６】台部、下半分の正面図
【００１８】
【図７】座部と台部が組み合わす時の支柱部分の組み合わせイメージ図。
【考案を実施するための形態】
【００１９】
本実用新案は  人が正座した時の  足のシビレ  と  痛みを和らげ、安全に
長時間正座する為の座椅子であります。
【００２０】
構造は正座をした時に  お尻と両足の間に長方形の板を設け体重の
ほとんどを直接床に伝達し  シビレ  痛みを和らげる。
基本構造は板の組み合わせであり。完成図は図1  となる。
図１
0003166755.tif 000003
【００２１】
座部とはお尻の下に入れる板と支柱の片側で支柱が折りたためるよう繋がれる、
支柱部は  板の半分の高さから下まで、板の中央に板厚だけの切り込みがある。
図 4
0003166755.tif 000004
【００２２】
台部とは床面に接する部分と支柱の片側で支柱が折りたためるよう 繋がれる
支柱部は板の半分の高さから上まで、板の中央に板厚だけの切り込みがある。
図 6
0003166755.tif 000005
【００２３】
座部と台部は  支柱部の双方の切り込みを  かみ合わせることで板の幅の正方形
と同じ程度の大きさ強靭な支柱が生まれる。  
図 7
0003166755.tif 000006
【００２４】
携帯時は座部、台部の支柱のかみ合わせを分離し，折り畳んだ
状態で持ち運ぶ。
【産業上の利用可能性】
【００２５】
葬儀、お茶席，等和式（正座）で行われる行事で使用される。
【符号の説明】
【００２６】
各図共通    
符号  Ａ  は  携帯座椅子のお尻に接する部分、座部である
符号  Ｂ1  は  携帯座椅子の支柱を形成する部分で座部  Ａと繋がれ９０度折り畳み
可能  
符号  Ｂ２  は  携帯座椅子の支柱を形成する部分で台部  Ｃと繋がれ９０度折り畳
み可能  
符号  Ｃ  は  携帯座椅子の地面に接する部分、台部である
【図１】
0003166755.tif 000007
【図２】
0003166755.tif 000008
【図３】
0003166755.tif 000009
【図４】
0003166755.tif 000010
【図５】
0003166755.tif 000011
【図６】
0003166755.tif 000012
【図７】
0003166755.tif 000013
【手続補正書】
【提出日】平成23年1月19日(2011.1.19)
【手続補正１】
【補正対象書類名】実用新案登録請求の範囲
【補正対象項目名】全文
【補正方法】変更
【補正の内容】
【実用新案登録請求の範囲】
【請求項１】
一枚の座部と、一枚の台部と、前記 座部及び台部をつなぐ
２枚の板よりなる支柱部分から構成される携帯座椅子であって、
前記 支柱部分の板の一枚が座部に、一枚が台部にそれぞれ９０度
折り曲げられるようつなげられ、座部とつなげられた板には
中央部下半分に板厚分の切り欠きが有り、台部とつなげられた
板には中央部上半分に板厚分の切り欠きが有る、使用時には 
２枚の板の切り欠きどうしを噛み合わせる事で座椅子となり、
収納時には 噛み合わせを分離し、支柱を９０度折り曲げる事で
容積を小さくする事の出来る座椅子。
【手続補正２】
【補正対象書類名】明細書
【補正対象項目名】全文
【補正方法】変更
【補正の内容】
【考案の詳細な説明】
【技術分野】
【０００１】
この考案は、葬儀などで 長時間正座するときに用いられる座椅子に関する
【背景技術】
【０００２】
従来の座椅子としては、座部裏面に連結した脚部を左右又は前後に開角して、
使用者の臀部を座部に置き、両足首を脚部の両側に沿った状態に折り曲げて
使用する座椅子がある。  又  最近３角形で  持ち運び便利な折り畳み式がある.
【先行技術文献】
【特許文献】
【０００３】
【特許文献１】特許出願２００４−８２３６９
【０００４】
【特許文献２】特許公開平８−２５６８７７
【０００５】
【特許文献３】実用新案出願平１１−６３２１
【０００６】
出願番号: 実用新案出願平１１−６３２１ 出願日 : １９９９年８月２０日 
登録番号 : 登録実用新案第３０６６７５２号 登録日 :１９９９年１２月８日
実用新案権者 : 阪東 千恵子 考案者 : 阪東 千恵子
考案の名称 : 携帯座椅子 
【考案の概要】
【考案が解決しようとする課題】
【０００７】
長時間正座をすると足のシビレが起こり痛みや無感覚となり。正座後動けない。
技術分野で紹介した座椅子が有るが、持ち運び、安定性に難が有る。
【課題を解決するための手段】
【０００８】
２枚板を組み合わせた（組木の技術）支柱を作り、その支柱を構成する２枚の板を、
座る部分となる板，床に接する板に、それぞれ直角に折れ曲がるよう接続する。
支柱部が組み合わされた状態は座椅子。分解され折り畳まれた状態は２組の
２枚の板となる。
【考案の効果】
【０００９】
支柱の大きさは  人の正座時の左右のくるぶしの隙間の大きさより、小さくする
ことで座椅子と接触する邪魔と感ずる感覚がなくなる。
【００１０】
支柱をほぼ直角に組むことで、大きな丸太の支柱を使用したと同じ安定感が
得られる。
【００１１】
木 等の材料を使用することで軽くなる。
【図面の簡単な説明】
【００１２】
【図１】座部と台部が組み合わされ完成図の正面図。
【図２】座部と台部が組み合わされ完成図の側面図。
【図３】座部、上の半分の正面図。
【図４】座部、上の半分の側面図。
【図５】台部、下半分の正面図
【図６】台部、下半分の正面図
【図７】座部と台部が組み合わす時の支柱部分の噛み合わせイメージ図。
【考案を実施するための形態】
【００１３】
本実用新案は  人が正座した時の  足のシビレ  と  痛みを和らげ、安全に
長時間正座する為の座椅子であります。
【００１４】
構造は正座をした時に  お尻と両足の間に長方形の板を設け体重の
ほとんどを直接床に伝達し  シビレ  痛みを和らげる。
基本構造は板の組み合わせであり。完成図は図1  となる。
【００１５】
座部とはお尻の下に入れる板と支柱の片側で支柱が折りたためるよう繋がれる、
支柱部は  板の半分の高さから下まで、板の中央に板厚だけの切り込みがある。
【００１６】
台部とは床面に接する部分と支柱の片側で支柱が折りたためるよう 繋がれる
支柱部は板の半分の高さから上まで、板の中央に板厚だけの切り込みがある。
【００１７】
座部と台部は  支柱部の双方の切り込みを噛み合わせることで板の幅の正方形
と同じ程度の大きさ強靭な支柱が生まれる。  
【００１８】
携帯時は座部、台部の支柱の噛み合わせを分離し、折り畳んだ
状態で持ち運ぶ。
【産業上の利用可能性】
【００１９】
葬儀、お茶席，等和式（正座）で行われる行事で使用される。
【符号の説明】
【００２０】
各図共通    
符号  Ａ  は  携帯座椅子のお尻に接する部分、座部である
符号  Ｂ1  は  携帯座椅子の支柱を形成する部分で座部  Ａと繋がれ９０度折り畳み
可能  
符号  Ｂ２  は  携帯座椅子の支柱を形成する部分で台部  Ｃと繋がれ９０度折り畳
み可能  
符号  Ｃ  は  携帯座椅子の地面に接する部分、台部である